(57)【要約】  【課題】開閉体の表面に付着した塵埃は勿論、開閉体を構成するスラット間のへこんだ連結部に溜まった塵埃も効率よく掻き出すことができる開閉装置用清掃装置を提供する。  【解決手段】開閉装置１に設けられスライドして開閉動作する開閉体３に付着した異物を除去する回転ブラシ１１を備え、前記回転ブラシ１１は、回転軸１１ａと、前記回転軸１１ａの外周に形成され所定の毛丈を有すると共に前記開閉体３の表部及び／又は裏部に摺接する複数のブラシ片１１ｂからなるもので、開閉体３の表面に付着した異物は、回転ブラシ１１で確実に除去されるとともに、開閉体３を形成するスラット３ａ間に堆積した異物も回転するブラシ片１１ｂで掻き出されるので、常に開閉体３をきれいな状態で維持することができる。  【選択図】図４
2010150848.tif 000002
【特許請求の範囲】
【請求項１】
開閉装置に設けられスライドして開閉動作する開閉体に付着した異物を除去する回転ブラシを備え、前記回転ブラシは、回転軸と、前記回転軸の外周に形成され所定の毛丈を有すると共に前記開閉体の表部及び／又は裏部に摺接する複数のブラシ片からなることを特徴とする開閉装置用清掃装置。
【請求項２】
１本の回転ブラシの回転軸に、毛丈の異なるブラシ片を形成した請求項１に記載の開閉装置用清掃装置。
【請求項３】
開閉体を、複数のスラットを回動自在に連結して構成し、回転ブラシを前記スラット間の連結部に沿って移動可能に設けたことを特徴とする請求項１又は２に記載の開閉装置用清掃装置。
【請求項４】
回転ブラシの回転外径を、回転軸方向で変化させたことを特徴とする請求項３に記載の開閉装置用清掃装置。
【請求項５】
スライドして開閉動作する開閉体と、前記開閉体を開放方向又は／及び閉塞方向に移動させるための駆動手段と、請求項３又は４に記載の開閉装置用清掃装置を備え、回転ブラシが、開閉体の一端から他端まで移動する間は、前記開閉体の移動動作を停止し、前記回転ブラシが他端に到達した時に、前記開閉体を、前記回転ブラシの有効清掃長分だけ移動させた後、再び一時停止させ、その間に、前記回転ブラシを他端から一端に移動させる動作を繰り返して、前記開閉体の清掃を行うようにした開閉装置。
【請求項６】
回転ブラシによって開閉体から除去された異物を、開閉装置外へ放出するための外気開放部を設けたことを特徴とする請求項５に記載の開閉装置。
【発明の詳細な説明】
【技術分野】
【０００１】
本発明は、通称シャッター装置と呼ばれるスライドして開閉動作する開閉装置の開閉体に付着した汚れを除去する開閉装置用清掃装置及び、それを備えた開閉装置に関するものである。
【背景技術】
【０００２】
従来のこの種の開閉装置用清掃装置として、一方向にのみ回転可能なローラ状の拭取部材を、開閉装置の開閉体の開放方向に沿うように、かつ、前記開閉体の表面または／及び裏面に摺接するように配し、前記開閉体が開閉方向の内の一方向に移動したときに、ローラ状の拭取部材の回転を阻止して、その拭取部材の表面で開閉体に付着している異物を拭取るようにしたものがある（例えば、特許文献１参照）。
【０００３】
又、同特許文献１に記載された他の例として、ゴムなどの弾性体からなる拭取片の先端側を、開閉体の表面または／及び裏面に傾斜させて弾接させ、開閉体が開閉方向のいずれかの方向に移動したときに、拭取片の先端で、開閉体に付着した異物を、こそぐようにして取り除くようにしたものもある。
【０００４】
又、複数の支持具と、一端がその支持具に回動自在に支持されると共に、巻き上げられた開閉体(シャッター)に表面に向かって湾曲した可動アームと、その可動アームの先端に取り付けられたブラシ部材を備え、可動アームとブラシ部材の自重で、ブラシ部材の先端が開閉体の表面に摺接するようにして、開閉体が開閉方向に移動したときに、ブラシ部材で、開閉体の表面に付着した異物を除去するようにしたものも有る（例えば、特許文献２参照）。
【特許文献１】特開２００８−００８０３１号公報
【特許文献２】実公平４−００５６７５号公報
【発明の開示】
【発明が解決しようとする課題】
【０００５】
開閉装置の開閉体は、一般に複数のスラットを回動自在に連結して構成されているが、上記特許文献１に記載された従来のローラ状の拭取部材を用いた開閉体用清掃装置の構成では、開閉体の清掃時に、回転が阻止された拭取部材の一部を開閉体の表面に押さえつけるようにして、開閉体の表面を拭くだけなので、開閉体を構成する各スラット間のへこみ部分の汚れを取り除くことが出来ず、又、場合によっては、スラットの表面から取り除いたほこりをスラット間のへこみ部分に押し込んでしまうなど、開閉装置の開閉体を綺麗に出来ないといった課題があった。
【０００６】
また、同特許文献１に記載された、ゴムなどの弾性体からなる拭取片を用いた従来の開閉体用清掃装置の構成では、同様の課題を有すると共に、開閉体が、拭取片によって開閉体の表面に付着した異物が除去される方向に移動したときに、拭取片の先端が、隣り合うスラット間のへこんだ連結部に引っ掛かりがちになるので、拭取片が早く消耗するなどの課題もあった。
【０００７】
又、上記特許文献２に記載されたような従来の開閉体用清掃装置の構成では、ブラシ部材を、それとアームの自重で開閉体の表面に押し当てているだけなので、ブラシ部材に塵埃が集積したり、また、スラット間の塵埃を掻きだすような作用も少ないなどの課題があった。
【０００８】
本発明は、上記従来の課題を解決するもので、開閉装置の開閉体の表面に付着した塵埃は勿論、開閉体を構成するスラット間のへこんだ連結部に溜まった塵埃も効率よく掻き出すことができる開閉体用清掃装置及び開閉装置を提供することを目的とする。
【課題を解決するための手段】
【０００９】
上記従来の課題を解決するために、本発明の開閉体用清掃装置は、開閉装置に設けられスライドして開閉動作する開閉体に付着した異物を除去する回転ブラシを備え、前記回転ブラシは、回転軸と、前記回転軸の外周に形成され所定の毛丈を有すると共に前記開閉体の表部及び／又は裏部に摺接する複数のブラシ片からなるもので、開閉体の表面に付着した異物は、回転ブラシで確実に除去されるとともに、開閉体を形成するスラット間に堆積した異物も回転するブラシ片で掻き出されるので、常に開閉体をきれいな状態で維持することができる。
【００１０】
また、本発明の開閉装置は、スライドして開閉動作する開閉体と、前記開閉体を開放方向又は／及び閉塞方向に移動させるための駆動手段と、請求項３又は４に記載の開閉装置用清掃装置を備え、回転ブラシが、開閉体の一端から他端まで移動する間は、前記開閉体の移動動作を停止し、前記回転ブラシが他端に到達した時に、前記開閉体を、前記回転ブラシの有効清掃長分だけ移動させた後、再び一時停止させ、その間に、前記回転ブラシを他端から一端に移動させる動作を繰り返して、前記開閉体の清掃を行うようにしたもので、回転ブラシをスラットの幅方向に移動させて異物を確実に除去するという清掃効果を最も発揮できる開閉体の動きなので、より一層清掃効果が高まる。
【発明の効果】
【００１１】
本発明の開閉体用清掃装置及び開閉装置は、開閉装置の開閉体の表面に付着した塵埃は勿論、開閉体を構成するスラット間のへこんだ連結部に溜まった塵埃を効率よく掻き出すことができる。
【発明を実施するための最良の形態】
【００１２】
第１の発明は、開閉装置に設けられスライドして開閉動作する開閉体に付着した異物を除去する回転ブラシを備え、前記回転ブラシは、回転軸と、前記回転軸の外周に形成され所定の毛丈を有すると共に前記開閉体の表部及び／又は裏部に摺接する複数のブラシ片からなるもので、開閉体の表面に付着した異物は、回転ブラシで確実に除去されるとともに、開閉体を形成するスラット間に堆積した異物も回転するブラシ片で掻き出されるので、常に開閉体をきれいな状態で維持することができる。
【００１３】
第２の発明は、特に、第１の発明の１本の回転ブラシの回転軸に、毛丈の異なるブラシ片を形成したもので、開閉体の表面の異物は、毛丈の短いブラシ片で確実に除去され、開閉体を形成するスラット間のへこんだ連結部（へこみ部）の中の異物は、毛丈の長いブラシ片で掻き出されるので、しっかりと異物を除去することができる。
【００１４】
第３の発明は、特に、第１又は第２の発明の開閉体を、複数のスラットを回動自在に連結して構成し、回転ブラシを前記スラット間の連結部に沿って移動可能に設けたもので、開閉体のスラット間のへこんだ連結部に入った異物を確実に除去することができる。
【００１５】
第４の発明は、特に、第３の発明の回転ブラシの回転外径を、回転軸方向で変化させたもので、例えば、開閉体のスラット間のへこんだ連結部に、回転ブラシの回転外径の大きい部分、すなわち毛丈が長いブラシ片が当接し、前記開閉体の平面部には、回転ブラシの回転外径の小さい部分、すなわち毛丈が短いブラシ片が当接するような、そろばん珠のようなイメージの回転ブラシを使用すれば、ブラシ片が、開閉体の断面の凸凹にぴったりとフィットし、かつ回転しながらスラットと平行に移動していくので、開閉体を、スラット間のへこんだ連結部も含めて全面を確実にきれいに掃除することができる。
【００１６】
第５の発明は、スライドして開閉動作する開閉体と、前記開閉体を開放方向又は／及び閉塞方向に移動させるための駆動手段と、請求項３又は４に記載の開閉装置用清掃装置を備え、回転ブラシが、開閉体の一端から他端まで移動する間は、前記開閉体の移動動作を停止し、前記回転ブラシが他端に到達した時に、前記開閉体を、前記回転ブラシの有効清掃長分だけ移動させた後、再び一時停止させ、その間に、前記回転ブラシを他端から一端に移動させる動作を繰り返して、前記開閉体の清掃を行うようにしたもので、回転ブラシをスラットの幅方向に移動させて異物を確実に除去するという清掃効果を最も発揮できる開閉体の動きなので、より一層清掃効果が高まる。
【００１７】
第６の発明は、特に、第５の発明の回転ブラシによって開閉体から除去された異物を、開閉装置外へ放出するための外気開放部を設けたもので、除去した異物が開閉装置外に放出されるので、除去した異物が開閉装置用清掃装置内に集積することがなく、開閉装置用清掃装置のメンテナンスが不要になる。
【００１８】
以下、本発明の実施例について、図面を参照しながら説明する。なお、この実施例によって本発明が限定されるものではない。
【００１９】
（実施例１）
【００２０】
図１は、本発明の第１の実施例における開閉装置用清掃装置を備えた開閉装置の斜視図（建築物の内側から見た図）、図２は、図１のＡ−Ａ断面図、図３（ａ）は、同開閉装置用清掃装置の回転ブラシの斜視図、図３（ｂ）は、同回転ブラシのブラシ体の部分斜視図、図４は、同開閉装置の開閉体を清掃する様子を示す部分断面図である。
【００２１】
図１〜４において、１は、倉庫や車庫などの建築物２に設置された開閉装置で、上下方向に開閉動作する開閉体３と、開閉体３の上端が固定され、開閉体３を巻き取ったり、繰り出したりする巻き取り体４と、巻き取り体４を双方向に回転駆動する第１の駆動手段５と、本実施例における開閉装置用清掃装置６(以下、「清掃装置６」という)と、少なくとも巻き取り体４を収納する収納ケース７を備えている。
【００２２】
２ａは、開閉体３の幅方向の端部を上下方向にガイドするガイド部材で、建築物２に設けた出入口２ｂの両側部に固定されている。清掃装置６は、開閉体３の表面に付着した異物を除去するためのもので、本実施例では、収納ケース７の前面に設けた開口部８を通して、収納ケース７に着脱自在に装着できるようになっている。
【００２３】
開閉体３は、横長略矩形状の金属を曲げ加工してなる複数のスラット３ａを、上下に隣接するスラット３ａ間で回動するように連結して形成されると共に、最下端部に開閉体３の幅方向に渡って座板部材３ｂが接続されている。
【００２４】
清掃装置６は、開閉体３と対向する面に開口部１０ａを有する回転ブラシケース１０と、回転ブラシケース１０に回転自在に設けられると共に、開口部１０ａを通して、開閉体３の略全幅に渡って摺接する回転ブラシ１１と、回転ブラシ１１を回転駆動する第２の駆動手段１２を備えている。
【００２５】
回転ブラシ１１は、一端が第２の駆動手段１２に連結された回転軸１１ａと、回転軸１１ａの外周長手方向に直線状或いは螺旋状に配されると共に、それぞれ断面が略Ｃ字状の複数の溝部１１ｃと、端部より溝部１１ｃに挿入されるブラシ体１１ｄから構成され、ブラシ体１１ｄのそれぞれは、略中央部で芯線１１ｅを挟んで折り曲げられ、所定の毛丈を有すると共に、開閉体３の表部に摺接するブラシ片１１ｂと、芯線１１ｅと共にブラシ片１１ｂの下端を挟持する断面略Ｃ字状の帯状体１１ｆから構成され、帯状体１１ｆを溝部１１ｃの一方の端部から挿入することにより、ブラシ体１１ｄが回転軸１１ａに取り付けられ、回転ブラシ１１が完成するようになっている。
【００２６】
図３（ｃ）は、回転ブラシ１１のブラシ体１１ｄの他の例を示す部分斜視図で、ブラシ体１１ｄを、基布１１ｊと、基布１１ｊの上面に植設されたブラシ片１１ｂとで構成し、基布１１ｊを、回転軸１１ａに設けた溝部１１ｃの一方の端部から挿入して、回転ブラシ１１を完成するようにしても良い。
【００２７】
なお、図３（ｄ）は、回転軸１１ａに螺旋状に設けられた溝部１１ｃにブラシ体１１ｄを取り付けた例を示す回転ブラシ１１の端部の側面図である。
【００２８】
以上のように構成された本実施例における清掃装置６及びそれを搭載した開閉装置１の動作、作用は以下の通りである。
【００２９】
開閉体３の開閉は、一般的な開閉装置同様、第１の駆動手段５を動作させて行う。具体的には、図示しない第１のスイッチを操作して、「開」を選択すると、第１の駆動手段５が一方向（図２中の矢印Ａ方向）に回転して、巻き取り体４で開閉体３が巻き取られ、開閉体３で閉じられていた建築物２の出入り口２ｂが開放される。
【００３０】
出入り口２ｂを閉じるときは、第１のスイッチを操作して「閉」を選択することにより、第１の駆動手段５が逆方向（図２中の矢印Ｂ方向）に回転し、底板部材３ｂが接地するまで、巻き取り体４で開閉体３が送り出されて、出入り口２ｂが閉鎖される。
【００３１】
本実施例における清掃装置6による開閉体３の清掃は以下のようにして行われる。
【００３２】
使用者が、開閉体３が汚れてきた、と感じたら、開閉体３の周辺に人や動物が居ないことを確認したうえで、図示しない清掃動作用の第２のスイッチを操作する。第２のスイッチが操作されると、第１の駆動手段５及び第２の駆動手段１２に通電され、開閉体３が一方向、例えば開放方向に移動しながら、その表面が、回転する回転ブラシ１１で清掃され、付着していた異物が清掃装置６の回転ブラシケース１０の底部に堆積する。
【００３３】
上記の例では、開閉体３を開放方向に移動させながら、回転ブラシ１１で異物を除去するようにしたが、開閉体３を閉塞方向に移動させながら、回転ブラシ１１で異物を除去するようにしても良い。また、回転ブラシケース１０の底部に堆積した異物は、清掃装置６を開閉装置１から取り外して、簡単に行うことができる。
【００３４】
以上のように、本実施例によれば、開閉体３の表面に付着した異物は、回転ブラシ１１で確実に除去される。開閉体３を形成するスラット３ａ間の連結部３ｃはへこんでいるため特に異物が溜まりがちだが、本実施例では、回転ブラシ１１のブラシ片１１ｂにより、その異物も効率よく掻き出されるので、常に開閉体３をきれいな状態で維持することができる。
【００３５】
（実施例２）
【００３６】
図５（ａ）は、本発明の第２の実施例における開閉装置用清掃装置の回転ブラシの斜視図、（ｂ）は、同開閉装置の開閉体を清掃する様子を示す部分断面図である。なお、上記第１の実施例における開閉装置用清掃装置と同一部分については、同一符号を付して、その説明を省略する。
【００３７】
本実施例における開閉装置用清掃装置の回転ブラシ１４は、図５に示すように、回転軸１４ａの外周に設けた直線状又は螺旋状の溝部１４ｄに、毛丈の異なるブラシ片１４ｂ、１４ｃを交互に配して形成されたもので、これにより開閉体３の表面の異物は、毛丈の短いブラシ片１４ｃで確実に除去され、開閉体３を形成するスラット３ａ間の連結部３ｃ（へこみ部）の中の異物は、毛丈の長いブラシ片１４ｂで掻き出されるので、しっかりと異物を除去することができる。
【００３８】
（実施例３）
【００３９】
図６（ａ）は、本発明の第３の実施例における開閉装置用清掃装置を搭載した開閉装置の断面図、図６（ｂ）は、同開閉装置用清掃装置の回転ブラシの斜視図、図７は、開閉装置用清掃装置を備えた開閉装置の斜視図、図８は、同開閉装置用清掃装置の回転ブラシケースの移動構成を示す概略図である。なお、上記第１の実施例における開閉装置用清掃装置と同一部分については、同一符号を付して、その説明を省略する。
【００４０】
上記第１及び第２の実施例では、回転ブラシ１１、１４を横向きに設けると共に、定位置で回転させて、開閉体３に付着した異物を除去するようにしたのに対し、本実施例は、回転ブラシ１８を縦向きに設けると共に、その回転ブラシ１８を回転させながら、開閉体３のスラット３ａの連結部３ｃに沿って、左右方向に移動させて、開閉体３に付着した異物を除去するようにしたものである。
【００４１】
図６、７、８において、本実施例における開閉装置用清掃装置１６（以下「清掃装置１６」という）は、開閉体３と対向する面に、垂直方向に配された開口部１７ａを有する回転ブラシケース１７と、回転ブラシケース１７内に回転自在に、かつ縦向きに設けられると共に、開口部１７ａを通して、開閉体３の表面に摺接する回転ブラシ１８と、回転ブラシ１８を回転駆動する第３の駆動手段１９と、回転ブラシ１８を収納した回転ブラシケース１７を、開閉体３のスラット３ａ間の連結部３ｃに沿って、左右に移動させるための第４の駆動手段２０を備えている。
【００４２】
本実施例では、清掃装置１６は、清掃装置１６の下面に配設された２本のガイドレール３０上を、スライドするよう構成されてあり、右端に形成されたユニット取出し蓋３１から、開閉装置１の外部に取り出す事ができる。取り出した後、清掃装置１６内の回転ブラシ１８の交換等のメンテナンスができる。また、第４の駆動手段２０は、左右方向における一方（図８において、右端）に配されると共にプーリーＡ２１を有し、反対側（図８において、左端）にプーリーＢ２２が回転自在に配され、この２つのプーリーＡ２１とプーリーＢ２２間にはワイヤー２３が張架され、更にこのワイヤー２３の一部が回転ブラシケース１７の一部に連結されており、第４の駆動手段２０を一方向に回転、例えば、時計方向に回転駆動すると、回転ブラシケース１７を右方向に移動させ、反時計方向に回転駆動すると、回転ブラシケース１７を左方向に移動させることが出来るようになっている。
【００４３】
また、本実施例における回転ブラシ１８は、図６（ｂ）に示すように、一端が第３の駆動手段１９に連結された回転軸１８ａと、回転軸１８ａの外周に巻き付けられたブラシ体１８ｄから構成され、ブラシ体１８ｄは、略中央部で芯線１８ｅを挟んで折り曲げられると共に、開閉体３の表部に摺接するブラシ片１８ｂと、芯線１８ｅと共にブラシ片１８ｂの下端を挟持する断面略Ｃ字状の帯状体１８ｆから構成され、回転軸１８ａの外周にブラシ体１８ｄを巻き付け固定した後、ブラシ片１８ｂの先端が、開閉体３の連結部３ｃと、開閉体３の連結部３ｃ以外の表面に沿うように、すなわち、回転軸１８ａの長手方向で、回転ブラシ１８の回転外径を変化させるように、ブラシ片１８ｂの先端を毛刈り加工して形成している。
【００４４】
図６（ｃ）は、回転ブラシ１８の他の例を示すもので、ブラシ片１８ｂを毛刈り加工する際に、回転ブラシ１８の長手方向の外周端部に山形状の凸部１８ｇを形成して、そろばん珠が連なったような形状になるようにしても良い。
【００４５】
図６（ｄ）は、回転ブラシ１８の他の組み立て方法の一例を示す斜視図で、ブラシ体１８ｄを、基布１８ｊと、基布１８ｊに植毛したブラシ片１８ｂで形成し、基布１８ｊを回転軸１８ａに巻きつけた後、回転軸１８ａの長手方向で、回転ブラシ１８の回転外径を変化させるように、ブラシ片１８ｂの先端を毛刈り加工して形成するようにしても良い。
【００４６】
以上のように構成された本実施例における清掃装置１６の動作、作用は、以下の通りである。
【００４７】
本実施例では、回転ブラシ１８を収納した回転ブラシケース１７は、予め開閉体３の左端（初期位置）に配置されている。使用者が開閉体３の清掃を行うために、図示しない清掃スイッチをＯＮすると、その時点で、開閉体３が閉じているときは、開閉体３の清掃運転が直ちに開始するが、清掃スイッチをＯＮしたときに、開閉体３が開いていた場合、第１の駆動手段５が動作して、開閉体３を一旦閉じ、それから清掃運転が開始するようになっている。
【００４８】
清掃運転が開始すると、第３の駆動手段１９及び第４の駆動手段２０に通電されて、回転ブラシ１８が回転しながら、回転ブラシケース１７が、開閉体３の左端から右端に向かって移動する。この間に、開閉体３の表面やスラット３ａ間の連結部３ｃに付着した異物は、回転ブラシ１８のブラシ片１８ｂできれいに除去され、除去された塵埃は、回転ブラシケース１７内に落下する。
【００４９】
そして、回転ブラシ１８が、開閉体３の右端に達するまで回転ブラシケース１７が移動すると、第３の駆動手段１９と第４の駆動手段２０への通電が自動的に一旦切られ、今度は、第１の駆動手段５に通電され、開閉体３を回転ブラシ１８の有効清掃長分、すなわちブラシ片１８ｂの長さ分に相当する距離だけ、開閉体３を開放方向に移動させた後、第１の駆動手段５への通電が切られる。次に、第３の駆動手段１９及び、第４の駆動手段２０に通電されて、回転ブラシ１８を回転させながら、回転ブラシケース１７を左方向へ移動させ、その間に開閉体３に付着した異物を回転ブラシ１８で除去する。
【００５０】
そして、回転ブラシ１８が、開閉体３の左端に接するまで回転ブラシケース１７が移動すると、第３の駆動手段１９と第４の駆動手段２０への通電が自動的に一旦切られ、再び第１の駆動手段５に通電され、開閉体３を回転ブラシ１８の有効清掃長分に相当する距離だけ、開閉体３を再度開放方向に移動させ、再び、第３の駆動手段１９で回転ブラシ１８を回転させながら、第４の駆動手段２０で回転ブラシケース１７を右方向に移動させる。そして、開閉体３が全開するまで、上記動作を繰り返すことにより、開閉体３の全面が洩れなく清掃される。
【００５１】
以上のように、本実施例における清掃装置１６においては、回転ブラシ１８を開閉体３のスラット３ａ間の連結部３ｃに沿って移動させるようにしたので、凹状の連結部３ｃ内の異物も確実に除去することができる。
【００５２】
又、回転ブラシ１８の回転外径を、開閉体３の連結部３ｃに対向する部分は大きく、また、開閉体３の連結部３ｃ以外の部分と対向する部分を小さくして、回転軸１８ａ方向で変化させているので、回転ブラシ１８の回転外径の大きい部分、すなわち毛丈が長いブラシ片１８ｂが隣り合うスラット３ａ間の凹状の連結部３ｃに当接し、回転ブラシ１８の回転外径の小さい部分、すなわち毛丈が短いブラシ片１８ｂが、開閉体３の連結部３ｃ以外の表面に当接するようになり、ブラシ片１８ｂが、開閉体３の表面の凹凸にぴったりとフィットし、かつ回転しながらスラット３ａと平行に移動していくので、スラット３ａ間のへこんだ連結部３ｃも含めて、開閉体３の全面を確実にきれいに掃除できる。
【００５３】
（実施例４）
【００５４】
図８は、本発明の第４の実施例における開閉装置用清掃装置の概略構成を示す斜視図である。なお、上記第１の実施例における開閉装置用清掃装置と同一部分については、同一符号を付して、その説明を省略する。
【００５５】
本実施例における清掃装置６の一方の端部には、回転ブラシケース１０内に堆積した異物を吸引し、パイプ状の部材で形成された外気開放部２５を通して、清掃装置６外に排出する送風機２６が設けられている。
【００５６】
以上のように、本実施例によれば、回転ブラシ１１によって開閉体３から除去された異物を、開閉装置６外へ放出するための外気開放部２５を設けているので、除去された異物が清掃装置６内に集積することがなく、清掃装置６のメンテナンスが不要になるものである。
【００５７】
なお、外気開放部２５を延長して、吸引された異物を、建築物２の外に排出するようにすれば、清掃装置６が設置された建築物２内が清潔に保たれることは言うまでも無い。
【００５８】
なお、上記各実施例では、いずれも清掃装置６、１６で開閉体３の前面を清掃するようにしたが、回転ブラシ１１、１４又は１８を、開閉体３の裏面側に設け、開閉体３の裏面を清掃したり、或いは、開閉体３の前面側及び裏面側の両方に設けて、両面を同時に清掃できるようにしても良い。
【００５９】
上記各実施例におけるブラシ片１１ｂ、１４ｂ、１４ｃ、１８ｂの毛材として、ナイロン、ポリエチレン、ポロプロピレン（ＰＰ）、ポリブチレンテレフタレート（ＰＢＴ）等の合成樹脂モノフィラメントを使用しているが、前記以外にも、モップ状の拭き部材、不織布を使用しても良い。また、ブラシ片１１ｂ、１４ｂ、１４ｃ、１８ｂを、回転軸１１ａ、１４ａ、１８ａに、着脱自在に取り付けられるようにすれば、ブラシ片１１ｂ、１４ｂ、１４ｃ、１８ｂを取り外し、代わりに、濡れたモップや不織布をセットするようにすれば、濡れ拭きする事もできる。
【００６０】
また、開閉体３に散水した後に、前記開閉体３をブラッシングするようにすれば、より一層きれいにする事ができ、高い掃除効果を発揮できる。
【産業上の利用可能性】
【００６１】
以上のように、本発明の開閉装置用清掃装置及び開閉装置は、開閉体の表面に付着した塵埃は勿論、開閉体を構成するスラット間のへこんだ連結部に溜まった塵埃も効率よく掻き出すことができるもので、複数のスラットを連結して構成した開閉体は勿論、シート状の開閉体を備えた各種開閉装置に広く適用できるものである。
【図面の簡単な説明】
【００６２】
【図１】本発明の第１の実施例における開閉装置用清掃装置を備えた開閉装置の斜視図（建築物の内側から見た図）
【図２】図１のＡ−Ａ断面図
【図３】（ａ）同開閉装置用清掃装置の回転ブラシの斜視図、（ｂ）同回転ブラシのブラシ体の部分斜視図、（ｃ）同回転ブラシのブラシ体の他の例を示す部分斜視図、（ｄ）回転ブラシの回転軸にブラシ体を螺旋状に取り付けた例を示す端部の側面図
【図４】同開閉装置の開閉体を清掃する様子を示す部分断面図
【図５】（ａ）本発明の第２の実施例における開閉装置用清掃装置の回転ブラシの斜視図、（ｂ）同開閉装置の開閉体を清掃する様子を示す部分断面図
【図６】（ａ）本発明の第３の実施例における開閉装置用清掃装置を搭載した開閉装置の断面図、（ｂ）同開閉装置用清掃装置の回転ブラシの斜視図、（ｃ）同回転ブラシの他の例を示す側面図、（ｄ）同回転ブラシの他の組み立て方法の一例を示す斜視図
【図７】開閉装置用清掃装置を備えた開閉装置の斜視図
【図８】同開閉装置用清掃装置の回転ブラシケースの移動構成を示す概略図
【図９】本発明の第４の実施例における開閉装置用清掃装置の概略構成を示す斜視図
【符号の説明】
【００６３】
１  開閉装置
２  建築物
３  開閉体
６、１６  開閉装置用清掃装置(清掃装置)
１１、１４、１８  回転ブラシ
１１ａ  回転軸
１１ｂ、１４ｂ、１４ｃ、１８ｂ  ブラシ片
２５  外気開放部
【図１】
2010150848.tif 000003
【図２】
2010150848.tif 000004
【図３】
2010150848.tif 000005
【図４】
2010150848.tif 000006
【図５】
2010150848.tif 000007
【図６】
2010150848.tif 000008
【図７】
2010150848.tif 000009
【図８】
2010150848.tif 000010
【図９】
2010150848.tif 000011